(57)【要約】【課題】特許文献１の基本構造を維持しながら、雌部材側の係止突起が外方へ変位されて取付孔等の孔内周面に干渉するという事態をなくすことにある。【解決手段】頭部１０及び頭部から垂設された支柱１５を有した雄部材１と、支柱１５を挿入する筒部２１及び筒部２１の上外周に張り出したフランジ２０並びに筒部２１に連設されスリット２７を介して拡開可能な係止脚２６とを有した雌部材２とからなるクリップ３であって、雄部材１は支柱に設けられた１以上の係止突起１４を備えていると共に、雌部材２は筒部内周に突出して係止突起１４の通過を許容する弾性係止部２８と、係止部２８が係止突起１４の通過により外方に変位しても筒部外周面より突出しないよう吸収する凹部２９とを備えている。【選択図】図５
2015072036.tif 000002
【特許請求の範囲】
【請求項１】
頭部及び前記頭部から垂設された支柱を有した雄部材と、前記支柱を挿入する筒部及び前記筒部の上外周に張り出したフランジ並びに前記筒部に連設されスリットを介して拡開可能な係止脚とを有した雌部材とからなるクリップであって、
前記雄部材は前記支柱に設けられた１以上の係止突起を備えていると共に、前記雌部材は前記筒部内周に突出して前記係止突起の通過を許容する弾性係止部と、前記弾性係止部が前記係止突起の通過により外方に変位しても前記筒部の外周面より突出しないよう吸収する凹部とを備えていることを特徴とするクリップ。
【請求項２】
前記凹部は前記スリットに隣接する前記筒部外周面に設けられていることを特徴とする請求項１に記載のクリップ。
【請求項３】
前記係止突起は、前記支柱の自由端側に設けられた仮止め用係止突起と、前記支柱の基端側に設けられた本止め用係止突起とを有していることを特徴とする請求項１又は２に記載のクリップ。
【請求項４】
前記係止脚の拡開方向と前記弾性係止部の変位方向とは約９０度異なっていることを特徴とする請求項１から３の何れかに記載のクリップ。
【請求項５】
窓枠等を構成して交差する関係にある一方枠材と他方枠材とを連結する場合、前記一方枠材に設けられ配置空間に嵌入する第一挿入部と、前記他方枠材に設けられた配置空間に嵌入する第二挿入部とからなるジョイント部材を使用すると共に、
前記第一挿入部を前記一方枠材の配置空間に挿入して、その一方枠材に設けられた透孔と前記第一挿入部に設けられた透孔とを臨ませた状態で、請求項１から４の何れかに記載のクリップにより前記ジョイント部材を前記一方部材に固定することを特徴とする枠材用ジョイント部材の取付構造。
【発明の詳細な説明】
【技術分野】
【０００１】
本発明は、雄・雌部材からなる２ピースタイプのクリップ、及びそれを用いた枠材用ジョイント部材の取付構造に関する。
【背景技術】
【０００２】
図８は２つの従来例を示している。同（ａ）は特許文献１に開示された本発明のクリップに相当するホルダである。このホルダは、頭部（フランジ部）１２及び頭部に垂設された支柱（軸部）１１を有した雄部材（プラグ）１と、支柱１１を挿入する筒部（保持部）２１及び筒部２１の上外周に張り出したフランジ２２並びに筒部に連設されスリットを介して拡開可能な係止脚（係合爪）２６，２６とを有した雌部材（ソケット）２とからなる。要部は、雄部材の支柱１１が自由端側の凹部（係合リセス）１３及び基端側の凹部（係合リセス）１４を形成している点、雌部材の筒部２１が筒内側に突出されて各凹部１３，１４に係脱可能な弾性フック部２３を形成している点、雄部材１が雌部材２に対しフック部２３と凹部１３との係合状態で仮止めされ、フック部２３と凹部１４との係合状態で各係止脚２６，２６を拡開して本止めされる点にある。
【０００３】
そして、同（ａ）の構造は、部材５を部材６に取り付ける場合、同図の仮止め態様で、部材５の取付孔５５から部材６の取付孔６６に挿入した後、雄部材１を押圧操作して支柱１１を雌部材の筒部２１に更に押し入れると、フック部２３が凹部１３から係合解除された後、支柱１１の外周で外向きに押されて拡開されつつ凹部１４と係合して本止め態様となり、同時に、各係止脚２６が支柱１１の外周で押し広げられて取付孔６６に対し抜け止め固定される。
【先行技術文献】
【特許文献】
【０００４】
【特許文献１】特開２００１−３９１２号公報
【発明の概要】
【発明が解決しようとする課題】
【０００５】
上記特許文献１のものは、雄・雌部材１，２が同図の仮止め態様で取り扱える利点を有しているが、使用条件によっては次のようなことが問題となる。まず、この構造では、雄・雌部材１，２を同図の仮止め態様で各部材の取付孔５５，６６に挿入した後、雄部材１を更に押してフック部２３と凹部１４とを係合する本止め態様に切り換えるが、その過程において、フック部２３が凹部１３から係合解除した後、支柱１１の外周面に乗り上げられて支柱１１の外方へ突出しようとするが、取付孔６６の内周面と干渉して摩擦力を増すことから、取付孔６６を相対的に大きく形成しなければならず固定状態の安定維持性に欠けていた。
【０００６】
また、この構造では、雄・雌部材１，２を同図の仮止め態様で各部材の取付孔５５，６６に挿入すると、各係止脚２６が部材６の下方へ大きく突出され、該突出状態で上記した本止め態様に切り換えることで両部材５，６をフランジ２２との間で挟持すべく拡開されるため、部材６の板厚寸法がかなり厚かったり部材６の裏面空間が狭くなるような仕様だと、各係止脚２６の拡開変位が制約され易くなる。
【０００７】
なお、以上の対策としては、特開平１１−２３０１３０号公報に開示の構造も考えられる。図８（ｂ）はその要部を示し、符号４０の筒体は本願の雌部材に相当し、符号６０の挿入体は本願の雄部材に相当している。雌部材４０は、雄部材６０を挿入する筒状で、上外周に張り出したフランジ４８並びに筒状部に設けられてスリットを介して拡開可能な舌片４４とを有している。
【０００８】
そして、この構造では、上記本止め態様として、フランジ４８の内周に設けた凹条５０と雄部材６０の上周囲に設けた凸条７０とを係合させるため、雄部材６０が雌部材４０に挿入された半挿入態様から更に同図の最終段階まで押入されても、舌片４４の拡開を伴なず取付孔であるホール２に対する干渉を解消できる。また、舌片側突部４６がホール奥側のアンダーカット部２ａに係合し抜け止めされるため、取付孔であるホール２の奥側空間が狭くても各舌片４４の拡開変位に制約されない。しかし、この構造では、上記雄部材を雌部材に仮組み付けする仮止め手段がなくそれを追加したくても難しいこと、アンダーカット部２ａの形成が難いこと、等の問題がある。
【０００９】
本発明の目的は、以上のような背景から創意工夫されたもので、特許文献１の基本構造を維持しながら、上記したような干渉の問題等を解消し、使い勝手及び信頼性をより向上することにある。他の目的は以下の内容説明のなかで明らかにする。
【課題を解決するための手段】
【００１０】
上記目的を達成するため本発明は、頭部及び前記頭部から垂設された支柱を有した雄部材と、前記支柱を挿入する筒部及び前記筒部の上外周に張り出したフランジ並びに前記筒部に連設されスリットを介して拡開可能な係止脚とを有した雌部材とからなるクリップであって、前記雄部材は前記支柱に設けられた１以上の係止突起を備えていると共に、前記雌部材は前記筒部内周に突出して前記係止突起の通過を許容する弾性係止部と、前記弾性係止部が前記係止突起の通過により外方に変位しても前記筒部の外周面より突出しないよう吸収する凹部とを備えている、ことを特徴としている。
【００１１】
以上の本発明は、請求項２〜４で特定したように具体化されることがより好ましい。
（ア）前記凹部は前記スリットに隣接する前記筒部外周面に設けられている構成である（請求項２）。
（イ）前記係止突起は、前記支柱の自由端側に設けられた仮止め用係止突起と、前記支柱の基端側に設けられた本止め用係止突起とを有している構成である（請求項３）。
（ウ）前記係止脚の拡開方向と前記弾性係止部の変位方向とは約９０度異なっているこ構成である（請求項３）。
【００１２】
また、以上の各発明は、請求項５で特定したような枠材用ジョイント部材の取付構造に用いることが好ましい。すなわち、枠材用ジョイント部材の取付構造としては、窓枠等を構成して交差する関係にある一方枠材と他方枠材とを連結する場合、前記一方枠材に設けられ配置空間に嵌入する第一挿入部と、前記他方枠材に設けられた配置空間に嵌入する第二挿入部とからなるジョイント部材を使用すると共に、前記第一挿入部を前記一方枠材の配置空間に挿入して、その一方枠材に設けられた透孔と前記第一挿入部に設けられた透孔とを臨ませた状態で、請求項１から４の何れかに記載のクリップにより前記ジョイント部材を前記一方部材に固定することを特徴としている。
【発明の効果】
【００１３】
請求項１の発明では、雄部材が雌部材に挿入されて、例えば図４の（ａ）から（ｂ）の仮止め態様、或いは図４（ｂ）から図５の本止め態様に切り換えられる過程において、支柱側の係止突起が筒部内周の弾性係止部を通過する。その際、弾性係止部は、係止突起で外方へ押されて変位するが、その変位量が凹部内にとどまっており、それによって特許文献１のごとく取付孔の孔内周面に干渉するというような事態をなくし、雄部材に対する押力や取付孔の孔径を大きくすることなく、固定状態を安定維持可能となる。
【００１４】
請求項２の発明では、変位吸収用の凹部が筒部のうち、係止脚同士の間に設けられたスリットに隣接している筒部外周面に設けられているため、弾性係止部に対し適度な撓み変形を与え易く、雄部材に対する押力が過大となることなく筒部に対する安定した挿入性を維持できる。
【００１５】
請求項３の発明では、係止突起が仮止め用係止突起及び本止め用係止突起を有しているため、上記した特許文献１の干渉の問題を解消しながら、取扱性の点では特許文献１と同様な利点を有している。
【００１６】
請求項４の発明では、係止脚の拡開方向と弾性係止部の変位方向とが約９０度異なっているため、例えば図４及び図５のごとく雌部材側筒部の揺動や変位が規制されるような使用条件でも上記した弾性係止部及び係止脚の拡開方向への変位を確保できる。
【００１７】
請求項５の発明は、一方枠材と他方枠材とがジョイント部材を介した状態で連結される取付構造において、ジョイント部材を一方枠材に請求項１から４の何れかのクリップにより固定するため上記したクリップの利点を具備できる。
【図面の簡単な説明】
【００１８】
【図１】形態のクリップの用途例を示し、（ａ）は縦枠材とジョイント部材との関係図、（ｂ）は更に横枠材を含めた関係図、（ｃ）はジョイント部材の正面図である。
【図２】形態のクリップを雌部材に対する雄部材の仮止め態様で示し、（ａ）は正面図、（ｂ）は側面図、（ｃ）は（ａ）のＡ−Ａ線に沿った断面図である。
【図３】形態のクリップを雌部材に対する雄部材の本止め態様で示し、（ａ）は正面図、（ｂ）は側面図、（ｃ）は（ａ）のＢ−Ｂ線に沿った断面図である。
【図４】上記クリップの用途例である図１に対応して示し、（ａ）は雌部材に対する雄部材の仮止め直前の態様で示す縦断面図、（ｂ）は雌部材に対する雄部材の仮止め態様で示す（ａ）のＣ−Ｃ線矢視断面図である。
【図５】（ａ）は図４の仮止め態様から本止め態様に切り換えた状態で示す縦断面図、（ｂ）は（ａ）のＤ−Ｄ線矢視断面図である。
【図６】上記雄部材単品を示し、（ａ）は上面図、（ｂ）は正面図、（ｃ）は側面図である。
【図７】上記雌部材単品を示し、（ａ）は上面図、（ｂ）は半断面した正面図、（ｃ）は（ｂ）のＥ−Ｅ線矢視断面図、（ｄ）は変形例を示す（ｂ）のＥ部拡大図である。
【図８】（ａ）は特許文献１の構造を示し、（ｂ）は特開平１１−２３０１３０号公報に開示の構造を示している。
【発明を実施するための形態】
【００１９】
以下、本発明の形態例について図１〜図７を参照しながら説明する。この説明では、クリップの構造を明らかにした後、用途例及びその主な作動に言及する。
【００２０】
（構造）形態例のクリップ３は、雄部材１及び雄部材１を挿入する雌部材２からなる。雄部材１は、頂部側の頭部１０と、頭部１０から垂設された支柱１５と、支柱１５に設けられた１以上の係止突起１４，１６とを備えている。雌部材２は、筒部２１と、筒部２１の上外周に張り出したフランジ２０と、筒部２１に連設されスリット２４を介して拡開可能な係止脚２４，２４と、筒部２１の下側内周に突出して係止突起１４、１５を弾性変位を伴って通過可能な弾性係止部２８とを備えている。なお、材質は、雄・雌部材２，３共に樹脂成形体であるが、金属等の他の材質でも差し支えない。
【００２１】
まず、雄部材１の細部を図４及び図５と図６により明らかにする。頭部１０は、略円盤状であり、上側部分１０ａが下側部分１０ｂの上面にあって左右に一段高くなった段部となっている。下側部分１０ｂは、雌部材側フランジ２０に重ねられる大きさであり、周囲から左右部分を欠肉した窪み部１０ｃを有している。窪み部１０ｃは上側部分１０ａの下側に位置している。
【００２２】
支柱１５は、全体が細長い厚板状をなしていると共に、上部分１１の板幅が下部分１２に比べて広く形成されている。上部分１１の前後面には、中間部１１ａを挟んだ左右に窪み部１７がそれぞれ設けられている。下部分１２は、上部分１１に対して板幅を狭める向きの傾斜部１１ｂを介し連結されていると共に、先端１３が次第に細く形成されている。支柱１５の前後面には係止突起１４，１６がそれぞれ上下に設けられている。
【００２３】
すなわち、各係止突起１４，１６は、中間部１１ａの下方にあって、係止突起１４が上部分１１と下部分１２との境目に設けられ、係止突起１６が下部分１２の上下略中間に設けられている。係止突起１４と１６は、図６（ｃ）の拡大図に示されるごとく、係止突起１４が上側を下向きの傾斜面１４ａに形成されているが、係止突起１６が上側を直角となる水平面１６ａに形成されている。
【００２４】
次に、雌部材２の細部を図４及び図５と図７により明らかにする。雌部材２は、雄部材側の支柱１５をフランジ２０より下側の受入部分２５に挿入可能となっている。フランジ２０は、頭部１０と略同大のドーナツ状であり、上面２０ａの左右に設けられた窪み部２０ｃを有している。各窪み部２０ｃは、頭部１０の各窪み部１０ｃと重なる位置に設けられており、筒部２１の上端から外周に向けて低くなる傾斜面となっている。
【００２５】
受入部分２５は、内上側が略支柱１５に対応した形状であり、支柱の上部分１１を受け入れる筒部２１及びその下側の傾斜筒部２２と、傾斜筒部２２に中間筒部２３を介して連結され下部分２２の押入によりスリット２７を介して拡開する係止脚２４とで構成されている。スリット２７は、受入部分２５のうち、傾斜筒部２２の上下略中間から下端に貫通形成しており、筒部２１及び傾斜筒部２２の一部を除いて受入部分２５を２分割している。スリット２７の溝幅は、上下部分が同じ幅寸法であるが、中間筒部２３及び係止脚２４の上部側が少し幅広く形成されている。
【００２６】
各係止脚２４は、突出端側に行くに従って次第に近づくよう傾斜されていると共に、突出端側の周囲に比較的大きな突起２４ａを形成している。そして、各係止脚２４は、支柱の下部分１２が内側に押入されると、図５のごとく拡開変位しその拡開部分が取付孔８ａに対する抜け止め用として機能する。
【００２７】
筒部２１の内下側には、弾性係止部２８が対向した状態に設けられている。各係止部２８は、筒部内周に上端からスリット２７の少し上側まで縦溝２１ａを設けることで形成されており、スリット２７の近い側が最も張出し、スリット２７から離れる程低くなる形状となっている。また、筒部２１及び傾斜筒部２２の外周には、各係止部２８に対応して薄肉状の凹部２７が設けられている。各凹部２７はスリット２６に隣接して設けられている。凹部２７の深さは、各係止部２８が拡径方向へ最大まで弾性変位したときにも凹部２７内にとどまり、筒部２１及び傾斜筒部２２の外周面より外へ出っ張らない寸法となっている。
【００２８】
以上の雄・雌部材１，２は、図４に示されるごとく雄部材側支柱１５が雌部材側受入部分２５内に挿入されて、係止突起１６が弾性係止部２８の弾性変位を伴って係止部２８を通過することで、各係止脚２６，２６が未だ拡開しない状態で、雌部材２に対して雄部材１が容易に外れないよう仮止めされる。また、雄・雌部材１，２は、その仮止め態様から、雄部材１が更に押入操作されると、図５に示されごとく係止突起１４が雌部材側の弾性係止部２８の弾性変位を伴って係止部２８を通過することで、雌部材２に対して雄部材１を外れないように本止めする。この本止め態様では、各係止脚２６，２６が支柱１５の押入により拡開されてその拡開状態に維持される。
【００２９】
なお、以上の仮止め態様つまり係止突起１６と係止部２８との係合力は、本止め態様つまり係止突起１４と係止部２８との係合力よりも大きくなるよう設定されている。これは、本止め態様において、支柱の下部分１２が係止脚２６，２６の間に強く押入されているため、雄部材１が雌部材２から簡単に抜けなくなるからである。
【００３０】
（用途例）図１は以上のクリップ３の用途として、窓枠等を構成している縦枠材４と横枠材５とを連結一体化する場合、ジョイント部材６と共に用いられる一例を示している。すなわち、縦枠材４及び横枠材５は、本体４ａ，５ａの対応端側に設けられた配置空間４ａ，５ａを有しており、各配置空間４ａ，５ａに対してジョイント部材６の対応側が嵌入されることで略９０度の角度で連結される。また、本体４ａには、配置空間４ａに貫通されて上記クリップ３を差し込む取付孔（本発明の透孔に相当）４ｃが設けられている。なお、図示を省略したが、本体５ａにも配置空間５ａに貫通されたねじ用の取付孔が２つ設けられている。
【００３１】
ジョイント部材６は、概略矩形のブロック状をなし、配置空間４ａに嵌入される挿入部（本発明の第一挿入部に相当）６ａと、配置空間５ａに嵌入される挿入部（本発明の第二挿入部に相当）６ｂとが中間部６ｃを介して一体化されている。挿入部６ａは、両側にそれぞれ３つの溝７ａが対向した状態に設けられている。両側の各溝７ａ，７ａは、図４及び図５に示されるごとく内壁６ｄを挟んで設けられている。また、左側にある各溝７ａ，７ａは内壁６ｄを挟んで設けられると共に、内壁６ｄに貫通された取付孔（本発明の透孔に相当）８ａを介して連通されている。そして、この例では、挿入部６ａを配置空間４ａに嵌入すると共に、取付孔８ａが縦枠材側の取付孔４ｃと重なるよう位置だしされる。その状態から、ジョイント部材の挿入部６ａは、以下に述べる手順で取付孔４ｃから取付孔８ａに挿入されるクリップ３により固定される。
【００３２】
なお、挿入部６ｂは、左右中間に位置で両側に設けられた溝７ｂと、各溝７ｂの左右側に設けられたＵ形の受部７ｃ，７ｃと、各受部７ｃ，７ｃの下側に設けられて両側を貫通しているねじ用の取付孔８ｂとを有している。そして、この例では、挿入部６ｂを配置空間５ｂに嵌入する際、各取付孔８ｂが横枠材側の不図示の取付孔と重なるよう位置だしされる。その状態から、ジョイント部材の挿入部６ｂは、不図示の取付孔から取付孔８ｂに挿入されるねじ部材により固定される。
【００３３】
（作動）図４及び図５は、以上のクリップ３により縦枠材５にジョイント部材（挿入部６ａ）を固定するときの作動を示している。以下、この動作特徴を説明する。また、図７（ｄ）の変形例をその動作説明と共に述べる。
【００３４】
（ア）図４（ａ）は、上記したごとくクリップ３が縦枠材の取付孔４ｃからジョイント部材６の取付孔８ａに挿入されたセット状態を示している。この場合、クリップ３は、図１（ａ），（ｂ）及び図４（ｂ）のごとく雄部材１が雌部材２に挿入され仮止めされた態様で取付孔４ｃ，８ａに挿入操作されたり、又は、図４（ａ）のごとく雌部材２だけ或いは雄部材１を雌部材２に少しだけ挿入した態様で取付孔４ｃ，８ａに挿入操作されることになる。何れの操作でも、クリップ３又は雌部材２は係止脚２４，２４が未だ拡開されていないため、取付孔４ｃ，８ａにワンタッチで挿入される。
【００３５】
（イ）また、雌部材２だけ、或いは、雄部材１を雌部材２に少しだけ挿入した態様で取付孔４ｃ，８ａに挿入した場合は、雄部材側支柱１５を雌部材側受入部分２５内に挿入し押圧すると、係止突起１６が係止部２８の弾性変位を伴って係止部２８を通過して仮止め態様となる。この操作では、雄部材側支柱１５を雌部材側受入部分２５内に挿入するときは、図２（ｂ）のごとく頭部側窪み部１０ｃがフランジ側窪み部２０ｃに重なるようにするだけで、雄部材１が雌部材２に対し正常に位置だしされる。
【００３６】
（ウ）加えて、この操作では、雄部材側支柱１５が雌部材側受入部分２５内に挿入されて仮止め態様に切り換えられる過程において、支柱側の係止突起１６が筒部内周の係止部２８を通過する際、係止部２８は図４（ｂ）の拡大図のごとく係止突起１６で外方へ変位するが、その変位量が凹部２７内に収まっているため課題に挙げたような干渉がなく、雄部材１に対する押力が必要以上に大きくならない。
【００３７】
以上の点は、図４（ｂ）から図５の本止め態様に切り換えられる過程でも同じ。すなわち、この場合も、支柱側の係止突起１４が筒部内の係止部２８を通過する際、係止部２８は図５（ｂ）の拡大図のごとく係止突起１４で外方へ押されて弾性変位するが、その変位量が凹部２７内に収まっている。このため、この形態では、課題に挙げた干渉するというような事態をなくし、雄部材１に対する押力が過大になったり、取付孔８ａ等の孔径を大きくすることなく、固定状態を安定維持可能となる。
【００３８】
（エ）更に、以上の形態では、変位吸収用の凹部２７が筒部２１のうち、係止脚２４同士の間に設けられたスリット２６に隣接している筒部外周面に設けられている。このため、この構造では、係止部２８に対し適度な撓み変形を与え易く、雄部材１の押力ないしは筒部２１に対する安定した挿入性を維持できる。
【００３９】
（オ）ところで、設計上は、係止部２８の弾性度合や変位度合を更に上げたい仕様もある。図７（ｄ）は、そのような要求を満足させるための一例を示している。この変形例では、凹部２７の深さを確保すると共に、凹部２７の周囲の一部に細溝ないしはスリット２９を追加した構成である。係止部２８は、このようなスリット２９によって更に弾性変位し易くなる。
【００４０】
（カ）一方、以上の形態では、係止脚２４の拡開方向と係止部２８の変位方向とが約９０度異なるよう設定されている。このため、この構造では、例えば図４及び図５のごとく雌部材側筒部２１の揺動や変位が規制されるような使用条件でも係止部２８及び係止脚２４の拡開方向への変位を充分に確保できるという利点がある。
【００４１】
（キ）また、以上の形態では、図５に示されるごとく雄部材側頭部１０及び雌部材側フランジ２０の両方に設けられた窪み部１０ｃ，２０ｃにより、ドライバー等の工具９を差し込む隙間を大きく確保している。このため、この構造では、修理や解体等の理由で図５の使用状態からクリップ１を外す場合、まず、工具９の先端を両窪み部１０ｃ，２０ｃで形成される隙間に差し込んで雄部材１を雌部材２から強制的に引き抜き、その後、雌部材２を取付孔８ａ，４ｃより引く抜くことができる。
【００４２】
なお、本発明のクリップは、請求項１で特定される構成を備えておればよく、細部は形態例及び変形例を参考にして更に変更したり展開可能なものである。その例としては、窪み部１０ｃ，２０ｃ等を省略して簡素化したり、逆に係止脚を２以上で構成することである。また、本発明のクリップは、使用分野や使い方の制約は特になく、以上の用途例を参照して新規な色々な分野に展開可能なものである。
【符号の説明】
【００４３】
１・・・雄部材（１０は頭部、１０ｃは切欠部、１５は支柱）
２・・・雌部材（２０はフランジ、２５は本体）
３・・・クリップ
４・・・縦枠材（一方枠材に相当し、４ａは本体、４ｂは配置空間、４ｃは取付孔）
５・・・横枠材（他方枠材に相当し、５ａは本体、５ｂは配置空間）
６・・・ジョイント部材（６ａ，６ｂは挿入部、８ａ，８ｂは取付孔）
９・・・取外用工具
１４・・・仮止め用係止突起
１６・・・本止め用係止突起
２１・・・筒部
２４・・・係止脚（２２は傾斜筒部、２４ａは突起）
２６・・・スリット
２７・・・凹部
２８・・・弾性係止部
２９・・・スリット
【図１】
2015072036.tif 000003
【図２】
2015072036.tif 000004
【図３】
2015072036.tif 000005
【図４】
2015072036.tif 000006
【図５】
2015072036.tif 000007
【図６】
2015072036.tif 000008
【図７】
2015072036.tif 000009
【図８】
2015072036.tif 000010